(57)【特許請求の範囲】
【請求項１】
タンディシュからモールドへの溶融金属流量を制御するスライドバルブ装置(1)の下部フレーム(2)側に設けられ、鋳造中の浸漬ノズル(9)を上部耐火物(3)に押し付けるため前記浸漬ノズル(9)の両側に位置する第１、第２クランパー(20,21)と、前記下部フレーム(2)の支持突起(23)に設けられ前記各クランパー(20,21)を上方へ付勢するためのバネ(24)と、前記浸漬ノズル(9)の水平方向の移動を案内するため前記下部フレーム(2)側のフレーム(7)へ設けられた二対のガイドレール(8,8')と、前記浸漬ノズル(9)を前記水平方向に押すための押出し装置(10)と、よりなる浸漬ノズル支持交換機構において、
前記第１、第２クランパー(20,21)の各全幅寸法(L3)を前記浸漬ノズル(9)のフランジ(12)のフランジ径寸法(L1)より小とし、前記支持突起(23)に垂下して設けられた位置決め部材(26)を前記第１、第２クランパー(20,21)に係合させて前記各クランパー(20,21)の位置決めを行い、前記下部フレーム(2)の下面に設けられた位置決めライナー(6)に前記浸漬ノズル(9)の次の新浸漬ノズル(9A)の上面(43)を案内させることにより、前記新浸漬ノズル(9A)の水平移動時の高さ位置を規制し、前記第１、第２クランパー(20,21)の全幅寸法(L3)の幅中心を示すクランパー中心(40)は、前記フランジ径寸法(L1)の幅中心を示すフランジ中心(41)と一致し、前記クランパー中心(40)から上流側の上流端(42)迄の第１配置幅(L2)と前記フランジ径寸法(L1)は、Ｌ１：Ｌ２＝１：０．２〜０．４であることを特徴とする浸漬ノズル支持交換機構。
【請求項２】
前記第１、第２クランパー(20,21)の各クランパー片(20a,21a)は、ピン(22)を介して軸支され、前記位置決め部材(26)は前記各クランパー片(20a,21a)の後部(30)に形成された貫通孔(25)を貫通し、前記位置決め部材(26)の先端に形成された膨大部(27)が前記後部(30)と係合していることを特徴とする請求項１記載の浸漬ノズル支持交換機構。
【請求項３】
前記第１、第２クランパー(20,21)の各クランパー片(20a,21a)の先端上部(29)は、所定のＲからなる曲面形状としたことを特徴とする請求項１又は２記載の浸漬ノズル支持交換機構。
【請求項４】
前記第１、第２クランパー(20,21)の各クランパー片(20a,21a)のうち、最も挿入側(5)に位置するクランパー片(20a,21a)のみ又は全てのクランパー片(20a,21a)の先端上部(29)は、斜面形状としたことを特徴とする請求項１又は２記載の浸漬ノズル支持交換機構。
【請求項５】
タンディシュからモールドへの溶融金属流量を制御するストッパー装置(51)の下流側に設けられ、鋳造中の浸漬ノズル(9)を上部耐火物(3)に押し付けるため前記浸漬ノズル(9)の両側に位置する第１、第２クランパー(20,21)と、前記下部フレーム(2)の支持突起(23)に設けられ前記各クランパー(20,21)を上方へ付勢するためのバネ(24)と、前記浸漬ノズル(9)の水平方向の移動を案内するため前記下部フレーム(2)側のフレーム(7)へ設けられた二対のガイドレール(8,8')と、前記浸漬ノズル(9)を前記水平方向に押すための押出し装置(10)と、よりなる浸漬ノズル支持交換機構において、
前記第１、第２クランパー(20,21)の各全幅寸法(L3)を前記浸漬ノズル(9)のフランジ(12)のフランジ径寸法(L1)より小とし、前記支持突起(23)に垂下して設けられた位置決め部材(26)を前記第１、第２クランパー(20,21)に係合させて前記各クランパー(20,21)の位置決めを行い、前記下部フレーム(2)の下面に設けられた位置決めライナー(6)に前記浸漬ノズル(9)の次の新浸漬ノズル(9A)の上面(43)を案内させることにより、前記新浸漬ノズル(9A)の水平移動時の高さ位置を規制し、前記第１、第２クランパー(20,21)の全幅寸法(L3)の幅中心を示すクランパー中心(40)は、前記フランジ径寸法(L1)の幅中心を示すフランジ中心(41)と一致し、前記クランパー中心(40)から上流側の上流端(42)迄の第１配置幅(L2)と前記フランジ径寸法(L1)は、Ｌ１：Ｌ２＝１：０．２〜０．４であることを特徴とする浸漬ノズル支持交換機構。
【請求項６】
前記第１、第２クランパー(20,21)の各クランパー片(20a,21a)は、ピン(22)を介して軸支され、前記位置決め部材(26)は前記各クランパー片(20a,21a)の後部(30)に形成された貫通孔(25)を貫通し、前記位置決め部材(26)の先端に形成された膨大部(27)が前記後部(30)と係合していることを特徴とする請求項５記載の浸漬ノズル支持交換機構。
【請求項７】
前記第１、第２クランパー(20,21)の各クランパー片(20a,21a)の先端上部(29)は、所定のＲからなる曲面形状としたことを特徴とする請求項５又は６記載の浸漬ノズル支持交換機構。
【請求項８】
前記第１、第２クランパー(20,21)の各クランパー片(20a,21a)のうち、最も挿入側(5)に位置するクランパー片(20a,21a)のみ又は全てのクランパー片(20a,21a)の先端上部(29)は、斜面形状としたことを特徴とする請求項５又は６記載の浸漬ノズル支持交換機構。
【発明の詳細な説明】
【技術分野】
【０００１】
本発明は、浸漬ノズル支持交換機構に関し、特に、各クランパーの各全幅寸法を浸漬ノズルのフランジ径寸法より小とし、位置決め部材でクランパーの位置を規制すると共に位置決めライナーによって新浸漬ノズルの高さ位置を規制することにより、簡単で低コストの構造でかつ耐火物の大きさと重量を減らすことができるようにするための新規な改良に関する。
【背景技術】
【０００２】
従来、用いられていたこの種の浸漬ノズル支持交換機構としては、例えば、特許文献１から３で示される構成を挙げることができる。
すなわち、特許文献１で示される第１従来例においては、浸漬ノズルが接する上部耐火物の接合平面を浸漬ノズルの接合平面より大きくし、交換用の新しい新浸漬ノズルは、挿入位置で該上部耐火物の接合面の下に配置され、交換の為スライドされる時に揺動レバーで該上部耐火物接合面に押圧されたまま出湯口までスライドされる。
また、この揺動レバーは浸漬ノズル上部フランジとほぼ同じ幅に複数個配置されている。
【０００３】
また、特許文献２で示される第２従来例においては、新しい浸漬ノズルは、挿入位置から鋳造位置まで移動する間その上部ノズルに接触しないように押圧力付勢機構を設けている。この付勢機構は、浸漬ノズルを押圧する鍵盤の高さ位置を調整する目的でスライドフレームが設置され、該スライドフレームは新浸漬ノズルの動きに合わせて動くことにより、複数個の鍵盤の高さがそれぞれ調整され、浸漬ノズルが上部ノズルに接触しないように構成されている。
また、この場合、浸漬ノズルと上部耐火物の接合面はほぼ同じ大きさに設計されている。
この機構は、新しい浸漬ノズルの接合面を傷つけない目的で、上部耐火物に接触させないで出湯口まで移動するものである。
【０００４】
また、特許文献３で示される第３従来例においては、新しい浸漬ノズルは、挿入位置から鋳造位置まで移動する間その上部ノズルに接触しないように押圧手段により付勢された揺動アームを設けている。この揺動アームは、第１、第２の突起により、浸漬ノズル保持ケースに保持された浸漬ノズルのスライド位置、高さ位置と押圧力を制御している。
また、この場合、浸漬ノズルと上部耐火物の接合面はほぼ同じ大きさに設計されている。
【０００５】
【特許文献１】実用新案登録第３００９１１２号公報
【特許文献２】特許第３７８１３７１号公報
【特許文献３】特許第３８３４７４１号公報
【発明の開示】
【発明が解決しようとする課題】
【０００６】
従来の浸漬ノズル支持交換機構は、以上のように構成されているため、次のような課題が存在していた。
すなわち、
(1)  第１従来例
浸漬ノズルが接する上部耐火物の接合面を大きくする必要があり、耐火物の重量が重く作業性が悪い。また、重量が重く、且つ、接合面が大きく製造過程で平面精度を確保するため、耐火物コストも高くなる。
(2)  第２従来例及び第３従来例
浸漬ノズルの動きを制御するための押圧力付勢機構が複雑で、装置コストが高く、また、メンテナンスコストも高くなる欠点がある。
【課題を解決するための手段】
【０００７】
本発明による浸漬ノズル支持交換機構は、タンディシュからモールドへの溶融金属流量を制御するスライドバルブ装置の下部フレーム側に設けられ、鋳造中の浸漬ノズルを上部耐火物に押し付けるため前記浸漬ノズルの両側に位置する第１、第２クランパーと、前記下部フレームの支持突起に設けられ前記各クランパーを上方へ付勢するためのバネと、前記浸漬ノズルの水平方向の移動を案内するため前記下部フレーム側のフレームへ設けられた二対のガイドレールと、前記浸漬ノズルを前記水平方向に押すための押出し装置と、よりなる浸漬ノズル支持交換機構において、前記第１、第２クランパーの各全幅寸法を前記浸漬ノズルのフランジのフランジ径寸法より小とし、前記支持突起に垂下して設けられた位置決め部材を前記第１、第２クランパーに係合させて前記各クランパーの位置決めを行い、前記下部フレームの下面に設けられた位置決めライナーに前記浸漬ノズルの次の新浸漬ノズルの上面を案内させることにより、前記新浸漬ノズルの水平移動時の高さ位置を規制し、前記第１、第２クランパーの全幅寸法の幅中心を示すクランパー中心は、前記フランジ径寸法の幅中心を示すフランジ中心と一致し、前記クランパー中心から上流側の上流端迄の第１配置幅と前記フランジ径寸法は、Ｌ１：Ｌ２＝１：０．２〜０．４である構成であり、また、前記第１、第２クランパーの各クランパー片は、ピンを介して軸支され、前記位置決め部材は前記各クランパー片の後部に形成された貫通孔を貫通し、前記位置決め部材の先端に形成された膨大部が前記後部と係合している構成であり、また、前記第１、第２クランパーの各クランパー片の先端上部は、所定のＲからなる曲面形状とした構成であり、また、前記第１、第２クランパーの各クランパー片のうち、最も挿入側に位置するクランパー片のみ又は全てのクランパー片の先端上部は、斜面形状とした構成であり、また、前記第１、第２クランパーの各クランパー片の先端上部は、所定のＲからなる曲面形状とした構成であり、また、前記第１、第２クランパーの各クランパー片のうち、最も挿入側に位置するクランパー片のみ又は全てのクランパー片の先端上部は、斜面形状とした構成であり、また、タンディシュからモールドへの溶融金属流量を制御するストッパー装置の下流側に設けられ、鋳造中の浸漬ノズルを上部耐火物に押し付けるため前記浸漬ノズルの両側に位置する第１、第２クランパーと、前記下部フレームの支持突起に設けられ前記各クランパーを上方へ付勢するためのバネと、前記浸漬ノズルの水平方向の移動を案内するため前記下部フレーム側のフレームへ設けられた二対のガイドレールと、前記浸漬ノズルを前記水平方向に押すための押出し装置と、よりなる浸漬ノズル支持交換機構において、前記第１、第２クランパーの各全幅寸法を前記浸漬ノズルのフランジのフランジ径寸法より小とし、前記支持突起に垂下して設けられた位置決め部材を前記第１、第２クランパーに係合させて前記各クランパーの位置決めを行い、前記下部フレームの下面に設けられた位置決めライナーに前記浸漬ノズルの次の新浸漬ノズルの上面を案内させることにより、前記新浸漬ノズルの水平移動時の高さ位置を規制し、前記第１、第２クランパーの全幅寸法の幅中心を示すクランパー中心は、前記フランジ径寸法の幅中心を示すフランジ中心と一致し、前記クランパー中心から上流側の上流端迄の第１配置幅と前記フランジ径寸法は、Ｌ１：Ｌ２＝１：０．２〜０．４である構成であり、また、前記第１、第２クランパーの各クランパー片は、ピンを介して軸支され、前記位置決め部材は前記各クランパー片の後部に形成された貫通孔を貫通し、前記位置決め部材の先端に形成された膨大部が前記後部と係合している構成であり、また、前記第１、第２クランパーの各クランパー片の先端上部は、所定のＲからなる曲面形状とした構成であり、また、前記第１、第２クランパーの各クランパー片のうち、最も挿入側に位置するクランパー片のみ又は全てのクランパー片の先端上部は、斜面形状とした構成である。
【発明の効果】
【０００８】
本発明による浸漬ノズル支持交換機構は、以上のように構成されているため、次のような効果を得ることができる。
すなわち、
請求項１において、
タンディッシュからモールドへの溶融金属流量を制御するスライドバルブ装置の下部フレーム側に設けられ、鋳造中の浸漬ノズルを上部耐火物に押し付けるため前記浸漬ノズルの両側に位置する第１、第２クランパーと、前記下部フレームの支持突起に設けられ前記各クランパーを上方へ付勢するためのバネと、前記浸漬ノズルの水平方向の移動を案内するため前記下部フレーム側へ設けられた二対のガイドレールと、前記浸漬ノズルを前記水平方向に押すための押出し装置と、よりなる浸漬ノズル支持交換機構において、
前記第１、第２クランパーの各全幅寸法を前記浸漬ノズルのフランジのフランジ径寸法より小とし、前記支持突起に垂下して設けられた位置決め部材を前記第１、第２クランパーに係合させて前記各クランパーの位置決めを行い、前記下部フレームの下面に設けられた位置決めライナーに前記浸漬ノズルの次の新浸漬ノズルの上面を摺接させることにより、前記新浸漬ノズルの水平移動時の高さ位置を規制し、前記第１、第２クランパーの前記全幅寸法の幅中心を示すクランパー中心は、前記フランジ径寸法の幅中心を示すフランジ中心と一致し、前記クランパー中心から上流側の上流端迄の第１配置幅と前記フランジ径寸法は、Ｌ１：Ｌ２＝１：０．２〜０．４であることにより、機構の構成が簡素化及び小型化され、耐火物コストも安くなり、挿入される浸漬ノズルの移動も円滑となると共に、新浸漬ノズルが上部耐火物に接触することなく上部耐火物の下に円滑に挿入することができる。
また、請求項２において、前記第１、第２クランパーの各クランパー片は、ピンを介して軸支され、前記位置決め部材は前記各クランパー片の後部に形成された貫通孔を貫通し、前記位置決め部材の先端に形成された膨大部が前記後部と係合していることにより、クランパーの各クランパー片の位置決め及び浸漬ノズルのフランジへの押圧が一定となり、安定した浸漬ノズルへの付勢が可能となる。
また、請求項３において、前記第１、第２クランパーの各クランパー片の先端上部は、所定のＲからなる曲面形状としたことにより、浸漬ノズル及び新浸漬ノズル共、この曲面の先端上部を介して円滑に移動することができる。
また、請求項４において、前記第１、第２クランパーの各クランパー片のうち、最も入側に位置するクランパー片のみ又は全てのクランパー片の先端上部は、斜面形状としたことにより、浸漬ノズル及び新浸漬ノズル共、この斜面の先端上部を介して円滑に移動することができる。
請求項５において、
タンディッシュからモールドへの溶融金属流量を制御するストッパー装置の下流側に設けられ、鋳造中の浸漬ノズルを上部耐火物に押し付けるため前記浸漬ノズルの両側に位置する第１、第２クランパーと、前記下部フレームの支持突起に設けられ前記各クランパーを上方へ付勢するためのバネと、前記浸漬ノズルの水平方向の移動を案内するため前記下部フレーム側へ設けられた二対のガイドレールと、前記浸漬ノズルを前記水平方向に押すための押出し装置と、よりなる浸漬ノズル支持交換機構において、
前記第１、第２クランパーの各全幅寸法を前記浸漬ノズルのフランジのフランジ径寸法より小とし、前記支持突起に垂下して設けられた位置決め部材を前記第１、第２クランパーに係合させて前記各クランパーの位置決めを行い、前記下部フレームの下面に設けられた位置決めライナーに前記浸漬ノズルの次の新浸漬ノズルの上面を摺接させることにより、前記新浸漬ノズルの水平移動時の高さ位置を規制し、前記第１、第２クランパーの前記全幅寸法の幅中心を示すクランパー中心は、前記フランジ径寸法の幅中心を示すフランジ中心と一致し、前記クランパー中心から上流側の上流端迄の第１配置幅と前記フランジ径寸法は、Ｌ１：Ｌ２＝１：０．２〜０．４であることにより、機構の構成が簡素化及び小型化され、耐火物コストも安くなり、挿入される浸漬ノズルの移動も円滑となると共に、新浸漬ノズルが上部耐火物に接触することなく上部耐火物の下に円滑に挿入することができる。
また、請求項６において、前記第１、第２クランパーの各クランパー片は、ピンを介して軸支され、前記位置決め部材は前記各クランパー片の後部に形成された貫通孔を貫通し、前記位置決め部材の先端に形成された膨大部が前記後部と係合していることにより、クランパーの各クランパー片の位置決め及び浸漬ノズルのフランジへの押圧が一定となり、安定した浸漬ノズルへの付勢が可能となる。
また、請求項７において、前記第１、第２クランパーの各クランパー片の先端上部は、所定のＲからなる曲面形状としたことにより、浸漬ノズル及び新浸漬ノズル共、この曲面の先端上部を介して円滑に移動することができる。
また、請求項８において、前記第１、第２クランパーの各クランパー片のうち、最も入側に位置するクランパー片のみ又は全てのクランパー片の先端上部は、斜面形状としたことにより、浸漬ノズル及び新浸漬ノズル共、この斜面の先端上部を介して円滑に移動することができる。
【発明を実施するための最良の形態】
【０００９】
本発明は、各クランパーの各全幅寸法を浸漬ノズルのフランジ径寸法より小とし、位置決め部材でクランパーの位置を規制すると共に位置決めライナーによって新浸漬ノズルの高さ位置を規制することにより、簡単に低コストの構造でかつ耐火物の大きさと重量を減らすことができる浸漬ノズル支持交換機構を提供することを目的とする。
【実施例】
【００１０】
以下、図面と共に本発明による浸漬ノズル支持交換機構の好適な実施の形態について説明する。
図１において符号１で示されるものは、周知のスライドバルブ装置であり、このスライドバルブ装置１の下部フレーム２に形成された開口２ａには、出湯口４に連通する上部耐火物３が設けられている。
【００１１】
前記下部フレーム２の下面には、挿入側５に向けてテーパ面５ａが形成された位置決めライナー６が設けられると共に、この下部フレーム２の下面から垂下して形成されたフレーム７の下部には、二対の入側、出側ガイドレール８、８’が設けられ、この各ガイドレール８、８’上には、浸漬ノズル９及び次の交換用の新しい新浸漬ノズル９Ａがフランジ１２を介して押出し装置１０の押し部１１によって水平方向に押出し移動できるように構成されている。
前記新浸漬ノズル９Ａは挿入位置１４に位置し、前記浸漬ノズル９は排出位置１５で排出することができるように構成されており、前記押出し装置１０は前記スライドバルブ装置１又は図示しないタンディッシュ等の溶融金属容器に着脱自在に取付けることができる。尚、浸漬ノズル９，９Ａの上面４３の接合面と上部耐火物３の下部接合面３ａとは同等の大きさに構成されている。
【００１２】
前記フレーム７の下面には、前記各ガイドレール８、８’の長手方向と直交する方向に沿って前記浸漬ノズル９を挟む状態で対向して一対の第１、第２クランパー２０，２１が配設されている。
前記各クランパー２０，２１は、各々複数個、すなわち、三個のクランパー片２０ａ，２１ａが互いに並設された構成であり、各クランパー片２０ａ，２１ａは、図４に示されるように、その先端上部２２が前記フランジ１２のフランジ下面１２ａに当接及び摺接することができるように構成されている。
【００１３】
前記各クランパー片２０ａ，２１ａは、前記下部フレーム２に支持されたピン２２によって揺動自在に軸支されており、前記下部フレーム２に垂下して設けられＬ字状をなす支持突起２３に設けられた圧縮型のバネ２４が前記クランパー片２０ａ，２１ａの後部３０を押すため、前記先端上部２２が前記フランジ１２のフランジ下面１２ａに当接して付勢されるため、前記フランジ１２は上部耐火物３の下部接合面３ａに当接するように構成されている。
【００１４】
前記各クランパー片２０ａ，２１ａの後部３０には貫通孔２５が形成され、前記支持突起２３から下方に垂下する棒状をなす位置決め部材２６が前記貫通孔２５を貫通し、この位置決め部材２６の下端に設けられたフランジ状の膨大部２７がクランパー片２１ａ（２０ａ）の下面外に位置していることにより、前記位置決め部材２６における各クランパー片２０ａ，２１ａの後部３０の抜け止めがなされ、この膨大部２７により各クランパー片２１ａ（２０ａ）の揺動時のフランジ下面１２ａに対する付勢力の規制すなわちストッパの作用をなすように構成されている。
尚、図４では、第２クランパー２１のみを断面で示し、第１クランパー２０は省略しているが、前記第１クランパー２０についても、図４と同じ断面構造で構成されている。
【００１５】
また、前述の図４及び図５で示される位置決め部材２６及びストッパとしての膨大部２７の他の形態として図８から図１１で示される形態を示すことができる。
尚、図４及び図５と同一部分には同一符号を付しその説明は省略すると共に、異なる部分についてのみ説明する。
すなわち、前記位置決め部材２６は図９で示されるように、前記支持突起２３に接続された凹状部材２６Ａと、この凹状部材２６Ａの上部をＬ字状をなす前記支持突起２３によって閉状態に固定するためのボルト２６Ｂと、からなり、この凹状部材２６Ａの内底面２６Ｄと前記支持突起２３の下面２３Ｅとの間には高さＨの空間２６Ｆが形成されていると共に、前記位置決め部材２６は図４の場合と同様に、前記支持突起２３から一体状に下方へ垂下して形成されている。尚、図９では片側のみ示しているが、他方も同様に構成されている。
【００１６】
前述の構成において、前記各クランパー片２１ａ（２０ａ）の各後部３０が前記空間２６Ｆ内に位置した状態で前記位置決め部材２６に係合し、この空間２６Ｆの高さＨ内の内底面２６Ｄにおいて前記各後部３０の回動動作の規制が前述の図４の形態の動作と同様に行われる。
また、図１０は、図９の形態の他の形態を示すもので、前記内底面２６Ｄの一部の高さＨを高さＨ’のように変更することによりクランパー片２１ａ，（20ａ）の回動範囲の規制を変える構成とすることもできる。
【００１７】
前記第１、第２クランパー２０，２１の各全幅寸法Ｌ３の幅中心を示すクランパー中心４０は、フランジ１２のフランジ径寸法Ｌ１の幅中心を示すフランジ中心４１と一致し、前記クランパー中心４０から各クランパー２０，２１の挿入側５に向けての上流側の上流端４２迄の第１配置幅Ｌ２と前記フランジ径寸法Ｌ１との関係は、新しく挿入して移動する新浸漬ノズル９Ａの上面４３が上部耐火物３に接触することなくその下に円滑に入る前提として、Ｌ１：Ｌ２＝１：０，２〜０．４（但し、最適値としては、Ｌ１：Ｌ２＝１：０．３である）が可能であり、図１に示される下流端４４側の第２配置幅Ｌ２’は特に制限はないが、Ｌ１／２以下で好適である。すなわち、前述の構成により、新浸漬ノズル９Ａが出湯口４まで移動する場合、上部耐火物３は接触することなく上部耐火物３の下に円滑に入ることができる。
【００１８】
前記第１、第２クランパー２０，２１の各クランパー片２０ａ，２１ａの先端の先端上部２９は、図２で示されるように、所定のＲを有するＲ形状、すなわち、曲面形状で形成されており、この形状は、図６及び図７に示されるように、最も前記挿入側５に位置する１個のクランパー片２０ａ，２１ａのみ、又は全てのクランパー片２０ａ，２１ａの前記先端上部２２を、前記挿入側５へ向けて下がる状態で形成された斜面形状とすることもできる。
【００１９】
次に、前述の構成において、本発明による浸漬ノズル支持交換機構を作動させる場合について説明する。
図１の状態では、図示しないタンディッシュからモールドへの鋳造中の浸漬ノズル９を示しており、出湯口４に連通する上部耐火物３の下部接合面３ａに浸漬ノズル９が各クランパー２０，２１によって上方へ付勢された状態である。
【００２０】
前述の状態において、前記上部耐火物３に対して、浸漬ノズル９から新浸漬ノズル９Ａに交換する場合、ガイドレール８と位置決めライナー６との間に新浸漬ノズル９Ａを挿入し、押出し装置１０によりこの新浸漬ノズル９Ａを図１において右側に押すと、図２で示されるように、移動する新浸漬ノズル９Ａに押されて浸漬ノズル９が前記各クランパー２０，２１上を摺動する。
前記押出し装置１０により、引き続いて前記新浸漬ノズル９Ａを押すと、浸漬ノズル９は上部耐火物３との対応からはずれ、排出位置１５で下方へ排出されると共に、新浸漬ノズル９Ａが上部耐火物３と対応して各クランパー２０，２１によって上方へ押圧され、交換作業が完了する。
【００２１】
前述の浸漬ノズル９の交換において、前記ガイドレール８上を移動する前記新浸漬ノズル９Ａが上部耐火物３の出湯口４まで移動する場合、その上面４３が上部耐火物３の下部接合面３ａより上方に行かないように、前記位置決めライナー６の内面６ｂはこの下部接合面３ａと同一か又はわずかに下方に位置するように配設されているため、新浸漬ノズル９Ａの上面４３における損傷等の発生を防止した状態でノズル交換を行うことができる。
【００２２】
また、前述の浸漬ノズル９の交換において、前記各クランパー２０，２１の各クランパー片２０ａ，２１ａの先端上部２２が、Ｒ形状の曲面形状又は斜面形状であると共に、前述のように各クランパー２０，２１の全幅寸法Ｌ３、第１配置幅Ｌ２、浸漬ノズル９のフランジ径寸法Ｌ１との配置関係を設定しているため、新浸漬ノズル９Ａが上部耐火物３に接触することなく、上部耐火物３の下に円滑に入ることができる。
【００２３】
また、図１２は本発明の図１の別の形態を示すもので、図１のスライドバルブ装置１を例えば特開平５−２００５０４号公報等で周知のストッパー装置５１に代えた構成であり、図１と異なり構成のみ説明し、図１と同一部分は同一符号を付し、その説明は省略する。
尚、図２から図１１についても、図１２のように、スライドバルブ装置１をストッパー装置５１に代えた以外の構成については全く同一であるため、図２から図１１の構成を援用するものとする。
図１２において、前記ストッパー装置５１は、下部フレーム５２に保持された上部耐火物５３上に設けられ出湯口４を有する上ノズル５４と、前記上ノズル５４の出湯口４に挿入及び離脱自在に設けられて前記出湯口４を開閉自在として溶融金属流量を制御するための棒状のストッパー５５と、から構成され、前記上部耐火物５３は前記下部フレーム５２の上面に設けられたリング体５６によって下方へ付勢されている。
尚、図示しないタンディッシュからモールドへの溶融金属流量を制御するための前記ストッパー装置５１の下流側に、浸漬ノズル９を支持交換するための第１、第２クランパー２０、２１等が前述の図２及び図２から図１１に示されるように構成され、その浸漬ノズル９の交換動作については、前述の図２から図１１に示される構成と同じであるため、ここではその動作説明は援用することとして再度の説明は省略する。
【図面の簡単な説明】
【００２４】
【図１】本発明による浸漬ノズル支持交換機構を示す断面図である。
【図２】図１における浸漬ノズルの交換開始状態を示す説明図である。
【図３】図２の交換経過状態を示す説明図である。
【図４】図１の側断面図である。
【図５】図４の底面図である。
【図６】図１の他の形態を示す断面図である。
【図７】図６における浸漬ノズルの交換開始状態を示す説明図である。
【図８】図４の他の形態を示す断面図である。
【図９】図８の位置決め部材を示す側面図である。
【図１０】図９の他の形態を示す構成図である。
【図１１】図８の底面図である。
【図１２】本発明による浸漬ノズル支持交換機構の他の形態を示す断面図である。
【符号の説明】
【００２５】
１    スライドバルブ装置
２    下部フレーム
２ａ    開口
３    上部耐火物
３ａ    下部接合面
４    出湯口
５    挿入側
５ａ    テーパ面
６    位置決めライナー
７    フレーム
８    入側ガイドレール
８’    出側ガイドレール
９    浸漬ノズル
９Ａ    新浸漬ノズル
１０    押出し装置
１２    フランジ
１２ａ    フランジ下面
１４    挿入位置
１５    排出位置
２０    第１クランパー
２１    第２クランパー
２０ａ，２１ａ    クランパー片
２２    ピン
２３    支持突起
２４    バネ
２５    貫通孔
２６    位置決め部材
２７    膨大部
２９    先端上部
３０    後部
４０    クランパー中心
４１    フランジ中心
４２    上流端
４３    上面
Ｌ１    フランジ径寸法
Ｌ２    第１配置幅
Ｌ２’    第２配置幅
Ｌ３    全幅寸法
５１    ストッパー装置
５２    下部フレーム
５３    上部耐火物
５４    上ノズル
５５    ストッパー
【図１】
0004669888.tif 000002
【図２】
0004669888.tif 000003
【図３】
0004669888.tif 000004
【図４】
0004669888.tif 000005
【図５】
0004669888.tif 000006
【図６】
0004669888.tif 000007
【図７】
0004669888.tif 000008
【図８】
0004669888.tif 000009
【図９】
0004669888.tif 000010
【図１０】
0004669888.tif 000011
【図１１】
0004669888.tif 000012
【図１２】
0004669888.tif 000013